(57)【要約】【課題】搬送時の衝撃によっても変形しにくいランプ保持用のパッドを有するランプ個装箱を実現すること。【解決手段】ランプと、該ランプを内部に収容し保持部において保持する保護カバーと、を包装するランプ個装箱であって、該ランプ個装箱の長尺方向（Ｚ方向）の両端に配置された、Ｘ方向、Ｙ方向、Ｚ方向の全ての方向において前記保護カバーの保持部を挟持する一対のパッドを有すること。【選択図】図７
2014058329.tif 000002
【特許請求の範囲】
【請求項１】
ランプと、該ランプを内部に収容し保持部において保持する保護カバーと、を包装するランプ個装箱であって、
該ランプ個装箱の長尺方向（Ｚ方向）の両端に配置された、Ｘ方向、Ｙ方向、Ｚ方向の全ての方向において前記保護カバーの保持部を挟持する一対のパッドを有することを特徴とするランプ個装箱。
【請求項２】
前記パッドは、
前記保護カバーに対向する一壁面である前壁部と、
該前壁部に設けられた第１の開口部と、
該第１の開口部の周縁部に設けられた環状緩衝部と、
を有する第１の保持面部と、を有することを特徴とする請求項１に記載のランプ個装箱。
【請求項３】
前記パッドは、
該パッド内の空間を仕切る前記前壁部に平行な仕切板と、
該仕切板に設けられた第２の開口部および第２の保持面部と、
前記第１の保持面部と、該第２の保持面部との間に設けられた第１の補強板と、
を有することを特徴とする請求項２に記載のランプ個装箱。
【請求項４】
前記パッドは、
前記前壁部と対向する一対の壁である後壁部と第２の保持面部との間に設けられた、第２の補強板を有することを特徴とする請求項３に記載のランプ個装箱
【請求項５】
前記ショートアーク型放電ランプは長手方向の両端に配置された口金と給電リードとを有するものであり、
前記パッドは、
前記前壁部と、前記後壁部との間に設けられた該給電リードが出入りするスリットと、  
該パッドの第２の保持面部と後壁部と、第２の補強板とによって囲繞された口金収容部と、を有することを特徴とする請求項４に記載のランプ個装箱。
【発明の詳細な説明】
【技術分野】
【０００１】
本発明は放電ランプを個別に包装するランプ個装箱に関し、特にガラス製の発光管内に高圧ガスが封入されたキセノン放電ランプの個装箱に関する。
【背景技術】
【０００２】
デジタルシネマ用光源などに用いられるショートアーク型放電ランプは、ガラス製発光管の内部に大気圧よりも高い圧力でキセノンなどの放電ガスが封入されている。
このような放電ランプは、基本的には安全に搬送され、発光管が破裂することはないが、万が一破裂した場合には非常に危険であるため、念のため搬送時にはランプ個装箱内においてパッドと呼ばれる緩衝材に保持され、包装、出荷される。
【０００３】
例えば、特開２００２−３７０７８４号公報（特許文献１）には、この種の個装箱の従来例が記載されている。
図８（ａ）は従来例にかかる個装箱を示す斜視図である。この図において、個装箱８０は、段ボール紙からなる外装箱８１とその箱内の両端に配置されるパッド８２から構成されている。
図８（ｂ）はパッドを示す斜視図である。パッド８２は、図示の通り１枚の段ボール紙を折り曲げて構成されており、Ｖ字状の支持面部８９、８９およびこれを保持する補強面部８５、８５を有している。
このような構造により、支持面部８９がランプの口金の形状に合わせて、若干変形しつつ、補強面部８５でこれを補強するというものである。
この発明によれば、ランプの長さが長短あっても、それらに対応して保持することができ、かつ個装箱を廃棄する際には緩衝材料の分別が必要なく、組立が簡便であるものであった。
【先行技術文献】
【特許文献】
【０００４】
【特許文献１】特開２００２−３７０７８４号公報
【特許文献２】特開２０１２−０９９２９５号公報
【発明の概要】
【発明が解決しようとする課題】
【０００５】
しかし、ランプの大型化によりランプ重量が増してきている。また、海外での生産、販売量が増加しており、海外においては、搬送時の取り扱いについて個装箱の外面等に注意書きをしていても乱暴に扱われることがある。これにより、パッドが搬送時に変形するという問題が発生した。パッドが変形した状態で搬送すると、ランプを確実に保持するものがなく、破損に至るおそれがある。
さらに、個装箱は、図示のように長手方向を水平に向けて載置された状態で搬送されるのみならず、効率の観点からこれを垂直にして立てた状態でも搬送されるようになってきている。そのため、従来のパッドでは、全方向に対する保持が不十分であり、特に個装箱の長手方向での保持が不十分である。
しかも、この種のキセノン放電ランプは、デジタルシネマへの対応に伴い、静圧で１気圧を超えるようにガス封入圧が増加しており、危険性は増している。そのため、安全性にはよりいっそうの配慮が必要である。
【０００６】
また、従来例にかかるパッドは、ランプの口金を直接支持するものであり、搬送時の衝撃が直接ランプに伝わるため、破損防止の観点からはこの構造は好ましくなかった。
そこで、本発明者は、ランプの口金ではなく、発光部を包囲するようにランプに取り付けられている保護カバーをパッドにより支持することを検討した。
この保護カバーとは、例えば特開２０１２−０９９２９５号公報（特許文献２）に記載されたものであり、ポリカーカーボネート等の強固なプラスチックにより構成され、保持部に取り付けられた弾性部材からなるサポーターによりランプを保持している。
このような保護カバーをパッドで間接保持した方が、ランプの口金をパッドで直接保持するよりも、弾性部材により衝撃を吸収することができると考えたためである。
【０００７】
また、パッドの保持性能のみを重視して、これを段ボール以外の変形しにくい材料により構成することも可能であるが、地球環境の保護、販売先での処分の便を鑑みると、部品点数を増やすことなく、処分が容易であるように１枚の段ボールにより構成されていることが好ましいという事情がある。
【０００８】
以上の観点から、本発明は搬送時の衝撃によっても変形しにくいランプ保持用のパッドを有するランプ個装箱を実現することを目的とする。
具体的には、ランプを口金等により直接保持することなく、その保護カバーを保持し、かつ、個装箱がいかなる姿勢で搬送されようとも、ランプが固定されるように全方向から保持することができるパッドを有するランプ個装箱を実現することを目的とする。
【課題を解決するための手段】
【０００９】
上記課題を解決するため、本願発明は、ランプと、該ランプを内部に収容し保持部において保持する保護カバーと、を包装するランプ個装箱であって、該ランプ個装箱の長尺方向（Ｚ方向）の両端に配置された、Ｘ方向、Ｙ方向、Ｚ方向の全ての方向において前記保護カバーの保持部を挟持する一対のパッドを有することを特徴とするランプ個装箱である。
【００１０】
また、本発明の請求項２に係る発明は、請求項１に係る発明において、前記パッドは、前記保護カバーに対向する一壁面である前壁部と、該前壁部に設けられた第１の開口部と、  該第１の開口部の周縁部に設けられた環状緩衝部とを有する第１の保持面部を有することを特徴とする。
【００１１】
また、本発明の請求項３に係る発明は、請求項２に係る発明において、前記パッドは、  該パッド内の空間を仕切る前記前壁部に平行な仕切板と、該仕切板に設けられた第２の開口部および第２の保持面部と、前記第１の保持面部と、該第２の保持面部との間に設けられた第１の補強板とを有することを特徴とする。
【００１２】
また、本発明の請求項４に係る発明は、請求項３に係る発明において、前記パッドは、
前記前壁部と対向する一対の壁である後壁部と第２の保持面部との間に設けられた、第２の補強板を有することを特徴とする。
【００１３】
また、本発明の請求項５に係る発明は、請求項４に係る発明において、前記ショートアーク型放電ランプは長手方向の両端に配置された口金と給電リードとを有するものであり、
前記パッドは、前記前壁部と、前記後壁部との間に設けられた該給電リードが出入りするスリットと、該パッドの第２の保持面部と後壁部と、第２の補強板とによって囲繞された口金収容部と、  を有することを特徴とする。
【発明の効果】
【００１４】
請求項１に係る発明によれば、搬送時の衝撃によっても変形しにくいランプ保持用のパッドを有するランプ個装箱を実現することができる。
ランプを口金等により直接保持することなく、その保護カバーを保持し、かつ、個装箱がいかなる姿勢で搬送されようとも、ランプが固定されるように全方向から保持することができる。
【００１５】
請求項２に係る発明によれば、保護カバーは、第１の保持面部に設けられた環状緩衝部に外嵌してＸ方向、Ｙ方向において位置決めされるとともに、第２の保持面部に当接してＺ方向において位置決めされる。これにより、保護カバーは搬送中においても強固に位置決めされる。
【００１６】
請求項３に係る発明によれば、第１の保持面部と第２の保持面部との間には第１の補強板が設けられているので、第１の保持面部が保護カバーから加わる力により変形することを防止することができる。
【００１７】
請求項４に係る発明によれば、第２の保持面部と後壁部との間に、第２の補強板が設けられているので、第２の保持面部が保護カバーから加わる力により変形することを防止することができる。
【００１８】
請求項５に係る発明によれば、各パッドの口金収容部には、ランプの口金が、パッドのいずれの部分とも接触しないように収容されている。これにより、口金に直接的に衝撃が与えられることがなく、ランプの破損を防止することができる。
【図面の簡単な説明】
【００１９】
【図１】本発明に係るランプ個装箱の包装対象であるショートアーク型放電ランプを示す図である。
【図２】ショートアーク型放電ランプを保護する保護カバーを示す図である。
【図３】本発明に係るランプ個装箱の外装箱を表す斜視図である。
【図４】本発明に係るランプ個装箱のパッドを構成するブランクシートを示す展開図である。
【図５】組み立てたパッドの図であり、（ａ）は前壁部を正面視した図、（ｂ）は天壁部を正面視した図、（ｃ）は後壁部を正面視した図、（ｄ）は一の側壁部４５を正面視した図、（ｅ）は（ｂ）におけるＡ−Ａ´線断面図、（ｆ）は（ｂ）におけるＢ−Ｂ´線断面図、（ｇ）は（ｂ）におけるＣ−Ｃ´線断面図である。
【図６】保護カバーがパッドに保持された状態を示す図である。
【図７】ランプを包装した状態を示すランプ個装箱の全体図である。
【図８】（ａ）従来例に係る個装箱を示す斜視図である。（ｂ）パッドを示す斜視図である。
【発明を実施するための形態】
【００２０】
図１は、本発明に係るランプ個装箱の包装対象であるショートアーク型放電ランプを示す。
ショートアーク型放電ランプ１（以下、省略してランプ１ともいう）は、ガラス製の発光管を備えている。発光管は中央に位置する略球状の発光部１１と、その両端に棒状の封止部１２、１２とを備えている。封止部１２、１２の両端からは外部リード１４、１４が導出されており、外部リード１４、１４は発光管内に対向配置された一対の電極（図示略）と電気的に接続されている。また、封止部１２、１２には、口金１３、１３が取り付けられている。
【００２１】
この種のランプ１は、封入するガスの種類により種々の波長の発光をすることができる、例えば映写機用光源となるランプでは、可視光を利用するために希ガス、より具体的にはキセノンガス、が静圧で１．０ＭＰａ以上封入される。
【００２２】
図２（ａ）、（ｂ）は、ショートアーク型放電ランプを保護する保護カバーを示す図である。
図２（ａ）において、保護カバー２は、ポリカーボネート（ＰＣ）等のプラスチック樹脂等で構成されており、ランプ１の発光部１１を収容する収容部２１と、ランプ１の口金１３、１３を保持する保持部２２、２２を備えている。
図２（ｂ）は、この保護カバー２を９０度回転させた位置から見た図である。この図に示すように、保護カバー２は、例えば蝶番である回動部２４により回転して、２つに割れて開閉し、収容部２１の内部にランプ１を出し入れすることが可能である。
保持部２２、２２には、ランプ１の口金１３、１３への衝撃を緩和しつつ保持するためのサポーター（図示略）が設けられており、サポーターは例えば弾性部材、より具体的には熱可塑性エラストマー（ＴＰＥ）等のゴムである。
保護カバー２の形状は、収容するランプにより様々であるが、アーク放電ランプの場合は収容部２１と保持部２２は一般的に筒状である。
より具体的には、ショートアーク型放電ランプの場合は、収容部２１の径が大きく、保持部２２の径は小さいものであり、ロングアーク放電ランプの場合は、収容部２１と保持部２２の径はほぼ同じとなる。
【００２３】
図３は、本発明に係るランプ個装箱の外装箱を表す斜視図である。
外装箱３は、直方体形状の例えば段ボール紙からなる箱であり、ランプの形状に合わせて長尺な形状をしている。
外装箱３内部のランプ収容空間の長手方向、すなわちＺ方向両端には、ランプ１を収容した保護カバー２を保持するためのパッド（図示略）が設けられる。
パッドは、外装箱３のＺ方向壁面部３３ＺによってＺ方向を、およびＸ方向壁面部３３ＸによってＸ方向を、内蓋３２および外蓋３１によってＹ方向をそれぞれ保持される。
【００２４】
図４は、本発明に係るランプ個装箱のパッドを構成するブランクシートを示す展開図である。この図において、実線は輪郭線若しくは切断線を、一点鎖線は山折線を、点線は谷折線を表している。  
パッドブランク４´は、１枚の段ボール紙を折り曲げて組み立てると、概観が直方体形状となるように構成されるものであり、組み立てた際に外壁となる天壁部４３、およびこれに連設される前壁部４１、後壁部４２、側壁部４４、４５、および底壁部４６とを備えている。
【００２５】
前壁部４１は、組み立てた際に、保護カバーを保持する第１の保持面部４１１となる部分である。
前壁部４１には、第１の開口部４１２が穿設されている。第１の開口４１２の周縁部には、この開口縁を始点として放射状に延びる複数の切り込みが形成されており、複数の切り込みの終点を結ぶと略八角形となっている。
このような切り込みは、保護カバー２の形状に適合するようにしたものであり、保護カバー２の形状に合わせて適宜変更可能である。
また、この図において紙面右方向に第１の開口部４１２と連通するリード線通過溝となる部分が穿設されている。この点については後述する。
【００２６】
前壁部４１の紙面上下には四隅を覆うための隅板４７１、４７２が連設されている。前壁部４１の紙面左側には、組み立てた際に底壁部４６の一部となる底壁部４６Ａが連設されている。
底壁部４６Ａの紙面左側には、第２の保持面部５１を一部に有する仕切板５０が連接されている。
仕切板５０は、山折線にしたがって折り曲げられて重ね合わされ、右側の部分が、第２の保持面部５１となる。
【００２７】
前壁部４１の紙面右側には、天壁部４３が連設されている。天壁部４３の中央部分には、紙面上下方向に穿設された開口である仕切板差込口４３１が形成されている。
仕切板差込口４３１の紙面左右両側は、左右方向に延びる切断線によって切断され、折込片として図示の山折線に従い内側に折り曲げられる。これによって、天壁部４３の中央部分に他の部材が貫通可能な開口が形成される。
【００２８】
天壁部４３の紙面上下方向には、側壁部４４および４５が連設されている。また、各側壁部４４、４５の端部には、第１の補強板４８１、４８２および、第２の補強板４９１、４９２が連設されている。
ここで側壁部４４、４５、第１の補強板４８１、４８２、および第２の補強板４９１、４９２は上下対称な同一形状をしており、構造、機能も同一であるから、上方側を例として説明する。
側壁部４４の紙面上側には、前壁部４１側に位置する第１の補強板４８１と、これに並んで後壁部４２側に位置する第２の補強板４９１とが連設されている。
第１の補強板４８１、第２の補強板４９１にはそれぞれ差込片４８１４、４９１４が連設されている。
パッド４を折曲線にしたがって組み立てると、差込片４８１４は、天壁部４３の中央を貫通し、天壁部４３の外側を回りこんで、係止孔４３２に挿入される。これと同様に、差込片４９１４も係止孔４３４に挿入される。
【００２９】
天壁部４３の紙面右側には、後壁部４２が連設されており、後壁部４２の上下には、隅板４７３、４７４が連設されている。
前壁部４１に連設された隅板４７１、４７２、および後壁部４２に連設された隅板４７３、４７４は、パッドを組み立てた際に、いずれもが側壁部４４、４５より内側に収容され、四隅を補強する。
【００３０】
図５は、上記のブランクを折り曲げて組み立てたパッドのいわゆる六面図である。この図において（ａ）は、前壁部４１を正面視した図、（ｂ）は天壁部４３を正面視した図、（ｃ）は後壁部４２を正面視した図、（ｄ）は一の側壁部４５を正面視した図である。なお、他の側壁部４４および底壁部４６については図示を省略する。
また、(ｅ)はＡ−Ａ´線断面図、（ｆ）はＢ−Ｂ´線断面図、（ｇ）はＣ−Ｃ´線断面図をそれぞれ示している。
【００３１】
パッド４は、略直方体で前壁部４１、後壁部４２、側壁部４４、４５、天壁部４３、底壁部４６の六方の壁部を備えており、従来のパッドに比して剛性が高く堅牢な構造となっている。
【００３２】
図５（ａ）に示すように、前壁部４１には、略円形の第１の開口部４１２が形成されている
また、第１の開口部４１２の周縁部には放射状に広がる切り込みが設けられており、これによって第１の開口部４１２の周囲には環状緩衝部４１３が形成されている。
環状緩衝部４１３は、保護カバー２の一端側の縮径部２３に当接するとともに、内側に撓むことで衝撃に対する緩衝作用を有している。
【００３３】
第１の開口部４１２のサイズは、ランプ１の口金１３、および保護カバー２の保持部２２が余裕を持って通過できる程度の大きさあるとともに、保護カバー２の収容部２１、および縮径部２３よりも小さいものである。
第１の開口部４１２の天壁部４３側には、口金１３から延びるリード線を通すためのスリット４１４が設けられている。
【００３４】
図５（ｂ）に示すように、前壁部４１の後方（後壁部４２側）には、保護カバー２の保持部２２の端面を抑えて固定するための仕切板５０が設けられている。
前壁部４１と仕切板５０との間には、天壁部４３を構成する一部である天壁部４３Ａ、４３Ｂが設けられている。また、仕切板５０と後壁４２との間には、天壁部４３を構成する一部である天壁部４３Ｃ、４３Ｄが設けられている。
【００３５】
図５（ｅ）は、図５（ｂ）におけるＡ−Ａ´線断面図である。この図において、天壁部３４Ｂには第１の補強板４８２が連設されている。
第１の補強板４８２は、前壁部４１および仕切板５０と直交するとともに、これらと当接している。これにより、前壁部４１が保護カバー２を挟持することによって押圧されても、仕切り板側に撓んだり、変形したりすることがなく、パッド４を堅牢にしている。
【００３６】
図５（ｆ）は図５（ｂ）におけるＢ−Ｂ´線断面図である。この図において、仕切板５０の形状が示されている。
仕切板５０の第２の保持面部５２は、保護カバー２の保持部２２の長手方向端面に当接する部分であり、実質的に保護カバー２をＺ方向の両側から挟持するものである。
仕切板５０に設けられた第２の開口部５２は、挟持する対象となる保護カバー２の保持部２２が通過しない程度に、小さいものである。一方、保護カバー２の保持部２２より突出しているランプの口金１３およびリード線（不図示）は通過できる程度に大きいものである。
【００３７】
図５（ｇ）は、図５（ｂ）におけるＣ−Ｃ´線断面図である。
この図において、仕切板５０から後壁部４２までの断面構造を現している。
天壁部４３Ｃ、４３Ｄには、それぞれ第２の補強板４９１、４９２が連設されている。
第２の補強板４９１、４９２は、前述の第１の補強板４８１、４８２のように、仕切板５０と後壁部４２とに当接してこれを補強しており、パッド４を堅牢にしている。
【００３８】
第２の補強板４９１、４９２と、底壁部４６Ｂとに囲まれた空間は、口金収容部５３である。口金収容部５３は、保護カバー２から外部に突出した口金１３全体を収容できる空間的な容量がある。
そして、ランプ１が収容された保護カバー２は、パッド４の第１の保持面部４１１、および第２の保持面部５１によって保持されているため、口金１３自体はパッド４のいずれの部分とも接触することがない。そのため、口金１３を直接介してランプ１に衝撃が伝わることがない。
【００３９】
図６は、ランプ１を収容した保護カバー２が、パッド４、４に保持された状態を示す図である。
この図において、保護カバー２の、一端側の縮径部２３が、パッド４の第１の保持面部４１１に当接しており、かつ、保持部２２が、第２の保持面部５１に当接している。また、他端側の縮径部２３、保持部２２についても同様である。これにより、保護カバー２およびその保持部２２が、パッド４、４に挟持され保持されている。
これにより、パッド４はランプ１を口金１３等により直接保持することはなく、保護カバー２を介して保持することにより、ランプ１に伝わる衝撃を抑制することができる。
また、保護カバー２は、Ｘ方向、Ｙ方向、Ｚ方向の全ての方向において、パッド４、４により挟持されているので、個装箱がいかなる姿勢で搬送されようとも、ランプが固定されるように全方向から保持することができる。
【００４０】
さらに、保護カバー２の縮径部２３は、第１の保持面部に設けられた第１の開口部４１１に挿入されるとともに、第１の開口部４１１の環状緩衝部４１２に外嵌してＸ方向、Ｙ方向において位置決めされる。
そして、保護カバー２の保持部２２のＺ方向端面が、第２の保持面部５１に当接してＺ方向において位置決めされる。
これにより、保護カバー２は搬送中においても強固に位置決めされる。
【００４１】
さらに、第１の保持面部４１１と第２の保持面部５１との間には第１の補強板が設けられているので、第１の保持面部４１１が保護カバー２から加わる力により変形することを防止することができる。
【００４２】
さらに、第２の保持面部５１と後壁部４２との間に、第２の補強板が設けられているので、第２の保持面部５１が保護カバー２から加わる力により変形することを防止することができる。
【００４３】
さらに、各パッド４の口金収容部５３には、ランプ１の口金１３が、パッド４のいずれの部分とも接触しないように収容されている。
これにより、口金１３に直接的に衝撃が与えられることがなく、ランプ１の破損を防止することができる。
【００４４】
また、パッド４は、例えば図４に示したブランクを用いて１枚のシートから構成することができるので組み立てが簡便である。材料としては、紙材やプラスチック材等の折り曲げ可能なシートを採用することができる。特に、段ボール紙により構成することが環境面および利便性から好ましい。
【００４５】
図７は、ランプを包装した状態を示すランプ個装箱の全体図である。
ランプ１を内部に収容した保護カバー２が、パッド４、４により両端を保持され、外装箱３の内部に収容された状態を示している。なお、この図において、外装箱３の外蓋３１、内蓋３２については図示を省略している。
以上により、本発明は、搬送時の衝撃によっても変形しにくいランプ保持用のパッドを有するランプ個装箱を実現することができる。
【符号の説明】
【００４６】
１               ランプ
１１               発光部
１２               封止部
１３               口金
１４               外部リード
２               保護カバー
２１               収容部
２２               保持部
２３               縮径部
２４               回動部
３               外装箱
３１               外蓋
３２               内蓋
３３Ｚ               Ｚ方向壁面部
３３Ｘ               Ｘ方向壁面部
４               パッド
４´               パッドブランク
４１               前壁部
４１１               第１の保持面部
４１２               第１の開口部
４１３               環状緩衝部
４１４               スリット
４２               後壁部
４３               天壁部
４３Ａ    天壁部
４３Ｂ    天壁部
４３Ｃ    天壁部
４３Ｄ    天壁部
４４               側壁部
４５               側壁部
４６               底壁部
４６Ａ               底壁部
４６Ｂ               底壁部
４７               隅板
４７１               隅板
４７２               隅板
４７３               隅板
４７４               隅板
４８１               第１の補強板
４８１４  差込片
４８２               第１の補強板
４８２４  差込片
４９１               第２の補強板
４９１４  差込片
４９２               第２の補強板
４９２４  差込片
５０               仕切板
５１               第２の保持面部
５２               第２の開口部
５３               口金収容部
【図１】
2014058329.tif 000003
【図２】
2014058329.tif 000004
【図３】
2014058329.tif 000005
【図４】
2014058329.tif 000006
【図５】
2014058329.tif 000007
【図６】
2014058329.tif 000008
【図７】
2014058329.tif 000009
【図８】
2014058329.tif 000010